(57)【特許請求の範囲】
【請求項１】
送信側移動端末からのショートメッセージを受信し、受信側移動端末にショートメッセージを転送する為の、ショートメッセージ・サービスセンターを有するショートメッセージ記憶装置システムであって、
該ショートメッセージ・サービスセンターが、シグナル・トランスファー・ポイント・ノード（４）を通じて、
−受信側移動端末が登録されているビジター・ロケーション・レジスターと、
−該受信側移動端末のインターナショナル・モバイル・サブスクライバー・アイデンティフィケーションと、
に対応する情報を得る為にホーム・ロケーション・レジスター（３）にアクセスする手段を有し、
このとき、該ショートメッセージ・サービスセンターが、該ビジター・ロケーション・レジスターを通じて、該受信側移動端末に該メッセージを配信する為に配置され、
該システムが更に、
−ショートメッセージを記憶する為の追加のショートメッセージ記憶手段（５）と、
−該追加のショートメッセージ記憶手段（５）の識別番号を記憶する為の識別番号記憶手段と、
を有していて、
該システムが、ショートメッセージが移動端末から前記追加のショートメッセージ記憶手段に、該識別番号を使用して送信されると、該識別番号記憶手段が、前記追加のショートメッセージ記憶手段のアドレスであり、ビジター・ロケーション・レジスター・アドレス方式を有する記憶アドレスに、前記識別番号を一義的に関係づける為に配置された手段にアクセスするように、配置されており、
また、該システムが、ショートメッセージが移動端末から該ショートメッセージ・サービスセンターに前記追加のショートメッセージ記憶手段（５）の識別番号を参照して送信されると、該ショートメッセージ・サービスセンターが該ショートメッセージを、ビジター・ロケーション・レジスター・アドレス方式を有する該記憶アドレスの前記追加のショートメッセージ記憶手段（５）に転送するように、配置されており、
さらに、該システムが、前記追加のショートメッセージ記憶手段（５）内に、ショートメッセージが、該ショートメッセージを送信した移動端末の識別番号と共に、記憶されるように、配置されている
ことを特徴とするショートメッセージ記憶装置システム。
【請求項２】
該識別番号記憶手段がシグナル・トランスファー・ポイント（４）データベースを有し、このとき、前記識別番号を記憶アドレスと一義的に関係づける為に配置された手段が前記追加のショートメッセージ記憶手段（５）に備えられ、該システムが、加入者が前記追加のショートメッセージ記憶手段（５）の識別番号を問い合せるショートメッセージを送信すると、シグナル・トランスファー・ポイント（４）が前記追加のショートメッセージ記憶手段（５）にアクセスして、前記追加のショートメッセージ記憶手段（５）が、記憶アドレスを返信するように配置されるように、配置されている、ことを特徴とする請求項１に記載のシステム。
【請求項３】
識別番号記憶手段がホーム・ロケーション・レジスター（３）に備えられ、前記識別番号を記憶アドレスと一義的に関係づける為に配置された手段もホーム・ロケーション・レジスター（３）に備えられ、該システムが、加入者が前記追加のショートメッセージ記憶手段（５）の識別番号を問い合せるショートメッセージを送信すると、該ショートメッセージ・サービスセンター（５）がシグナル・トランスファー・ポイント（４）を通じてホーム・ロケーション・レジスター（３）にアクセスするように配置され、ホーム・ロケーション・レジスター（３）が、該記憶アドレスを返信するように配置されるように、配置されている、
ことを特徴とする請求項１に記載のシステム。
【請求項４】
ショートメッセージを受信したとき、該追加のショートメッセージ記憶手段（５）が、メッセージ受信確認信号を生成し、前記メッセージ受信確認信号を該ショートメッセージ・サービスセンターに返信するように配置されている、ことを特徴とする請求項２または３に記載のシステム。
【請求項５】
追加のショートメッセージ記憶手段（５）が、ショートメッセージの関連フィールドの記憶の為と、加入者識別データとメッセージ・サービス・プロフィールを含む、加入者に対応するデータの記憶の為の記憶装置データベースを有することを特徴とする請求項２または３に記載のシステム。
【請求項６】
追加のショートメッセージ記憶手段（５）が、携帯電話ネットワークのそれぞれのノードとの通信を可能にする為に配置された携帯電話ネットワーク(１２)に対するインタフェース（７）を有することを特徴とする請求項２または３に記載のシステム。
【請求項７】
携帯電話ネットワーク（１２）に対するインタフェース（７）がモバイル・アプリケーション・パート・インタフェースであることを特徴とする請求項６に記載のシステム。
【請求項８】
追加のショートメッセージ記憶手段（５）がメッセージダウンロードおよび構成インタフェース（８）を有し、該インタフェースが、携帯電話ネットワークの外部の手段から、かつ／またはユーザー識別子とパスワードによる外部マシンから、記憶ショートメッセージへアクセスする為に配置され、さらにこれらの外部手段が、携帯電話ネットワークが移動端末（１）によってショートメッセージにアクセスするのを可能にし、また他の受信側移動端末にメッセージを再送信するのを可能にする為に配置されていることを特徴とする請求項２または３に記載のシステム。
【請求項９】
メッセージダウンロードおよび構成インタフェース（８）がウェブタイプのものであり、このときサーバーが追加のショートメッセージ記憶手段を構成し、クライアントが追加のショートメッセージ記憶手段内のショートメッセージの記憶に関するサービスへの加入者であることを特徴とする請求項８に記載のシステム。
【請求項１０】
メッセージダウンロードおよび構成インタフェース（８）が、メールに変換されたショートメッセージを電子メールアドレスに再送信するために電子メール個人アドレスを定義する手段を有することを特徴とする請求項８に記載のシステム。
【請求項１１】
追加のショートメッセージ記憶手段（５）が、それぞれのインタフェース(７、８)によって受信される命令に従う正しいシステム動作を制御する為に配置された内部管理モジュール（９）をも有することを特徴とする請求項５または９に記載のシステム。
【請求項１２】
追加のショートメッセージ記憶手段（５）の識別番号が、携帯電話ネットワーク内に含まれるすべてのシグナル・トランスファー・ポイント（４）のデータベースに記憶されることを特徴とする請求項２に記載のシステム。
【請求項１３】
該システムが、ショートメッセージの再送信が、メッセージダウンロードおよび構成インタフェース（８）内にあらかじめ設定されている基準にしたがって、手動または自動で実行される為に、配置されていることを特徴とする請求項１０に記載のシステム。
【発明の詳細な説明】
【技術分野】
【０００１】
本発明は、ショートメッセージ（ＳＭＳ）記憶装置システムから成り、該システムの目的は、携帯電話ネットワーク自身に追加のショートメッセージＳＭＳ記憶手段を備えることによって、現在広く使用されているショートメッセージサービスの可能性を広げることである。該追加のショートメッセージ記憶手段には、移動端末加入者が、長時間該加入者のメッセージを記憶させたあと望みのときに該メッセージを取り出すことができるように、またはメッセージに対してある種の操作を加え、例えば該メッセージを個人の電子メールアカウントまたは他の移動端末に再送信するために、意図的にアクセスする。
【０００２】
したがって、本発明のシステムによれば、移動端末で受信されたメッセージまたは該端末ですでに作成されているメッセージを、加入者の意志で携帯電話ネットワークに記憶させることができ、したがって該加入者が欲するときに該ＳＭＳにアクセスすることができる。そのためには、加入者は、携帯電話ネットワーク自身に備えられている追加のＳＭＳ記憶手段が自分の移動端末が使用しているものでない場合、自分の移動端末で、該ＳＭＳ記憶手段の識別番号をダイヤルする。
【背景技術】
【０００３】
ＧＳＭ（グローバル・システム・フォー・モバイル・コミュニケーション）ネットワークまたはＵＭＴＳ（ユニバーサル・モバイル・テレコミュニケーションズ・サービス）ネットワークを使用してショートメッセージＳＭＳを送信することが知られており、このとき、携帯電話ネットワークはショートメッセージ・サービスセンター（ＳＭＳＣ）を有し、該センターを通じて、ＳＭＳが送信側移動端末から、またはウェブインタフェースによりインターネットから、他の受信側移動端末に送信され、その際、ＳＭＳＣは、ホーム・ロケーション・レジスター（ＨＬＲ）から受信側移動端末の位置に関する情報を得るために、ＳＭＳと受信側移動端末番号（インターナショナル・モバイル・ステーションＩＳＤＮナンバー（ＭＳＩＳＤＮ））とを受信する。ＨＬＲへのアクセスはＳＴＰ（シグナル・トランスファー・ポイント）ノードを通じて行われ、したがって、ＨＬＲは、受信側端末のＭＳＩＳＤＮから、受信側インターナショナル・モバイル・サブスクライバー・アイデンティティー（ＩＭＳＩ）と受信側移動端末が登録されているビジター・ロケーション・レジスター（ＶＬＲ）とを得るようになっている。ＶＬＲレジスターは受信側移動端末が登録されているエリアを示す。
【０００４】
ＨＬＲは、応答して、これらの得られた受信側移動端末のデータに関するメッセージをＳＭＳＣに送信し、該ＳＭＳＣは、得られたデータに属するＶＬＲに、当該ＳＭＳを送信するための新しい命令を送信して、該ＶＬＲが該ＳＭＳを受信側移動端末に送信するようにする。受信側移動端末でＳＭＳが受信されると、該端末はＳＭＳの受信を確認し、そのとき利用可能でない場合には、ＳＭＳＣは当該移動端末が利用可能でないという確認信号を受信し、このとき該ＳＭＳＣはある所定の期間だけ該ＳＭＳを記憶し、該所定期間が終了しない限り、あとで当該受信側移動端末が利用可能になったときに自動送信する。この期間が終了すると、該ＳＭＳは削除される。
【０００５】
また、例えばＳＭＰＰ（ショートメッセージ・ポイント・ツー・ポイントプロトコル）のようなプロトコルを使用して、ＳＭＳＣから、またこれとの直接接続により、外部アプリケーションにショートメッセージを送信することができる。
【０００６】
いずれにしても、ショートメッセージのコピーはネットワークのどのノードにも残らず、該メッセージは受信側移動端末で見ることができるだけである。
【０００７】
前述の構成においては、加入者は、ネットワークがメッセージを自動送信しない限り、該メッセージにアクセスする方法がなく、加入者は未配信のメッセージがあるかどうかを知る方法さえない。
【発明の開示】
【発明が解決しようとする課題】
【０００８】
本件と同じ出願人が有するスペイン特許出願第９９０１８７９号の明細書には、ショートメッセージ受信、記憶、および送信システムが開示されている。該システムは、独立のＳＭＳ記憶手段を有し、該ＳＭＳは後続の受信側移動端末への送信のために前記手段内に記憶され、これはすべて送信している移動端末加入者にとって明らかであり、したがって、中間ショートメッセージ記憶手段がＳＭＳＣとネットワークで使用されているショートメッセージ記憶手段との間に得られるが、このネットワークでは、加入者が、自分の移動端末で受信または作成したメッセージ、またはこれを可能にする他のアプリケーションで作成したメッセージを意図的に記憶することを可能にする方法は存在しない。そのような新しい機能は、移動端末が有する制約を考慮し、また加入者が有する、メッセージ記憶の唯一の手段であるということを考えると、非常に有効なものとなりうる。すなわち、移動端末に代替機能はなく、当該加入者の端末に意図的に記憶させることのできるものよりもずっと多くのメッセージが記憶でき、それらのメッセージにあとでアクセスすることができ、あるいは外部アプリケーションまたは他の移動端末に再送信することができる。
【課題を解決するための手段】
【０００９】
本発明では、前記目的を達成するために、
ショートメッセージ（ＳＭＳ）記憶装置システムであって、
追加のＳＭＳ記憶手段と該追加のＳＭＳ記憶手段の識別番号の記憶手段とを有していて、該記憶手段は、前記識別番号を携帯電話ネットワーク内の手段（５）のアドレスと関係づけ、ＳＭＳが前記追加のＳＭＳ記憶手段に該手段の識別番号を使用して送信されたとき、識別番号の前記記憶手段が、前記識別番号をＶＬＲアドレスに一義的に関係づける手段にアクセスするようになっていて、このアドレスが前記追加のＳＭＳ記憶手段のアドレスに対応しており、また、移動端末からＳＭＳＣに送信される前記ＳＭＳが前記追加のＳＭＳ記憶手段の識別番号を問い合わせたときに、前記ＳＭＳが、前記追加のＳＭＳ記憶手段にＶＬＲであるかのように送信されて、該記憶手段に移動端末であるかのように記憶されるようになっている、
ことを特徴とするショートメッセージ記憶装置システムを開発した。前記記憶されるＳＭＳとともに、該ＳＭＳを送信した移動端末の識別番号とその他のＳＭＳデータとが記憶される。
【００１０】
したがって、移動端末加入者は、ＳＭＳを他の受信側移動端末に送信するときになされるのと同じやり方で、それまでに該加入者の移動端末に受信または作成してあるＳＭＳを送信するために、追加のＳＭＳ記憶手段の識別番号を使用する。
【００１１】
本発明の一つの実施形態においては、前記追加のＳＭＳ記憶手段の識別番号の記憶手段はＳＴＰデータベース（「背景技術」で述べた）を有する。このとき、前記識別番号をＶＬＲと一義的に関係づける手段が前記追加のＳＭＳ記憶手段に備えられ、加入者がＳＭＳを前記追加のＳＭＳ記憶手段に記憶させたいときには、ＳＴＰが前記追加のＳＭＳ記憶手段にアクセスして、ＶＬＲのアドレスを、該アドレスがＨＬＲであるかのように該アドレスを該記憶手段に送信するようになっている。したがって、ＳＭＳＣは、前記追加のＳＭＳ記憶手段のアドレスを得て、該アドレスを該動作の実行を許容するＶＬＲに同定したら、メッセージを前記追加のＳＭＳ記憶手段に送信する。
【００１２】
ここで述べておくべきことは、ネットワークにおいて、通常は複数のＳＴＰがあり、その場合、追加のＳＭＳ記憶手段の識別番号がすべてのＳＴＰに記憶されるということである。それは、識別番号の取得が、メッセージを送信している携帯電話が位置しているエリアに応じていずれのＳＴＰにおいても実行できるようにするためである。
【００１３】
本発明のもう一つの実施形態においては、前記追加のＳＭＳ記憶手段の識別番号の記憶手段がＨＬＲに備えられ、前記識別番号をＶＬＲのアドレスと一義的に関係づける手段が該ＨＬＲに備えられ、加入者がＳＭＳを前記追加のＳＭＳ記憶手段に記憶させたいときには、ＳＴＰがＨＬＲにアクセスし、該ＨＬＲが、追加のＳＭＳ記憶手段のアドレスを示すＶＬＲアドレスを、該ＳＭＳを他の移動端末に送信するかのように、送信し、ＳＭＳＣが該ＳＭＳを前記追加のＳＭＳ記憶手段に属する得られたＶＬＲアドレスに送信して、該ＳＭＳが前記追加のＳＭＳ記憶手段に記憶されるようになっている。
【００１４】
いずれにしても、追加のＳＭＳ記憶手段は、ＳＭＳを受信するたびに、ＳＭＳＣに送信されるメッセージ受信確認信号を生成し、ＳＭＳＣが、該メッセージが正しく配信されたことを確認できるようにして、ＳＭＳＣに、該タスクが完了したので該タスクに関するその他の動作を行う必要がないということをわからせるようにする。
【００１５】
前記実施形態に関して述べた機能を得るために、追加のＳＭＳ記憶手段は関連ＳＭＳフィールドの記憶装置データベースを有し、また、加入者に対応するデータ、例えば、加入者識別データとメッセージ・サービス・プロフィールすなわち各加入者の必要に応じてメッセージを処理するやり方、の記憶装置を有する。
【００１６】
さらに、前記追加のＳＭＳ記憶手段は、前記ネットワークのそれぞれのノードとの通信を可能にする携帯電話ネットワークに対するインタフェースを有し、そのために、該インタフェースは、プロトコルを使用し、ＧＳＭネットワークの場合、ＭＡＰ(モバイル・アプリケーション・パート)プロトコルを使用する。さらに、前記インタフェースは、ネットワークプロトコルを、それぞれのメッセージの記憶、問合せ、または再送信機能の実行のための一連の命令に変換する。
【００１７】
携帯電話ネットワークに対するこのインタフェースは、加入者移動端末を通じての記憶メッセージへのアクセスをも可能にする。
【００１８】
また、加入者識別子とパスワードによる外部マシンからのアクセスも可能であり、そのために追加のＳＭＳ記憶手段がメッセージダウンロードおよび構成インタフェースを有する。本発明の一つの実施形態においては、このインタフェースはウェブタイプのものであり、このときサーバーは追加のＳＭＳ記憶手段であり、クライアントはすべてのサービス加入者である。
【００１９】
メッセージダウンロードまたは構成インタフェースは、個人電子メールアドレスを定義するための手段を有し、したがってメッセージ・サービス・プロフィールは、構成インタフェースで定義された電子メールアドレスにメッセージを再送信する機能を有することができる。
【００２０】
さらに、前記追加のＳＭＳ記憶手段は、それぞれのインタフェースから受信される命令に従い、また前記追加のＳＭＳ記憶手段に記憶されているメッセージ・サービス・プロフィールに従って、正しいシステム動作を制御する内部管理モジュールをも有する。該モジュールは、データベースに記憶されているＳＭＳを電子メールに変換することも担当する。
【００２１】
前記追加のＳＭＳ記憶手段のデータベースに記憶されている各加入者のメッセージ・サービス・プロフィールは、メッセージダウンロードまたは構成インタフェースによって定義され、やはり前記データベースに記憶されている電子メールアドレスへのＳＭＳの手動または自動再送信が実行できるようになっている。
【００２２】
前記プロフィールは、各加入者に対する一群の送信基準から成り、該加入者に特有のものである。
【００２３】
さらに、本発明のシステムは、ＳＭＳを移動端末に再送信する手段を有する。これらの手段は、内部管理モジュールならびにメッセージダウンロードおよび構成インタフェースから成り、該インタフェースは、携帯電話ネットワークを通じてＳＭＳ送信を行う他の外部アプリケーションとの接続のためにいろいろなプロトコルを使用することができる。携帯電話ネットワークを通じての直接接続では、この機能を可能にするためにＳＴＰでの複雑な作業が必要になるからである。
【００２４】
したがって、本発明のシステムによれば、従来のＳＭＳ送信システムには存在しない一連の付加機能が与えられる。ショートメッセージ記憶装置代替物が備えられ、加入者が加入者移動端末よりも大きな容量と信頼性を有するメッセージ記憶手段を有することになるからである。
【発明を実施するための最良の形態】
【００２５】
本明細書のより良い理解を助けるために、本明細書の一体部分をなす一連の図面が添付してある。これらの図面は、本発明の対象を示すものであるが、説明のためだけのものであり、限定を意図するものではない。
【００２６】
以下、前記図面を参照しつつ、本発明を説明する。
【００２７】
まず、本発明のシステムの理解に必要な従来のショートメッセージ（ＳＭＳ）送信プロセスについて説明する。公知のように、移動端末１から、または対応するインタフェースによるインターネットを通じてのプロセッサーからのＳＭＳの受信側移動端末への送信のために、携帯電話通信ネットワークが、受信側移動端末に関する情報を問い合わせるための受信側モバイル・ステーション・インターナショナルＩＳＤＮナンバー（ＭＳＩＳＤＮ）を含むＳＭＳを受信するショートメッセージ・サービスセンター２（ＳＭＳＣ）を有する。このとき、サービスセンター２は、ネットワークのシグナル・トランスファー・ポイント４（ＳＴＰ）を通じてホーム・ロケーション・レジスター３（ＨＬＲ）への問い合わせを行う。
【００２８】
ＳＴＰ４は、ＨＬＲへの問い合わせの送信のために、受信側移動端末の加入者が記録されているＨＬＲアドレスを示すレンジテーブル(ｒａｎｇｅ  ｔａｂｌｅ)を備えている。
【００２９】
ＨＬＲ８は、ネットワーク加入者データ、例えば加入者移動端末のインターナショナル・モバイル・サブスクライバー・アイデンティティ（ＩＭＳＩ）、そのＭＳＩＳＤＮ、およびそのときに受信側移動端末が登録されているＶＬＲ（ビジター・ロケーション・レジスター）、が記憶されているデータベースである。
【００３０】
このＶＬＲは、各種データ、なかでも特にすべての移動端末の位置が記憶されているデータベースであり、移動端末が位置エリアを変えるたびに、そのデータが当該エリアを担当する対応するＶＬＲに記憶され、該ＶＬＲから、ＨＬＲに存在する加入者情報が更新される。
【００３１】
ＨＬＲは、受信側移動端末のＩＭＳＩとＶＬＲが示される情報１４に応答し、ＳＴＰ４を通ってＳＭＳＣ２に達する。この情報に明確な処理が行われ、ＳＭＳＣ２はデータを受信すると、得られたＶＬＲに対してショートメッセージを送信して、該ＶＬＲから、該ショートメッセージは受信側移動端末に送られ、該端末は、該メッセージを受信すると、メッセージ受信確認信号を送信し、該信号がＳＭＳＣ２に達すると、動作が完了したと見なされる。
【００３２】
受信側移動端末が作動していない場合、かつ／または確認メッセージが受信されなかった場合、ＶＬＲは受信側移動端末が利用できないというメッセージをＳＭＳＣ２に送信し、当該ショートメッセージはあらかじめプログラムされた時間だけＳＭＳＣ５に記憶され、この時間中に、ＶＬＲが、受信側移動端末が動作しているということを検出すると、該ＶＬＲは、前述のように、メッセージを送信する。ＳＭＳＣにプログラムされたＳＭＳ記憶時間中に受信側移動端末との通信が確立されない場合には、当該ＳＭＳは、受信側移動端末の加入者がメッセージがあるかどうかを知ることなく、削除されてしまう。
【００３３】
本発明の新規性は、次の点にある。すなわち、受信側移動端末に当該メッセージを送信する代わりに、移動端末１の加入者が、該メッセージをＳＭＳメールボックスに備えられている追加のＳＭＳ記憶手段５に送信し、したがって該加入者は、メールボックス５の専用識別番号をダイヤルし、該メールボックスが受信側移動端末であるかのように、前記メッセージを送信し、該メッセージはメールボックス５内に該メールボックスが移動端末であるかのように記憶され、また、該メールボックスには、以下で述べるように、あとでアクセスするか、またはメッセージを再送信することができる。
【００３４】
この機能を実現するために、本発明の一つの実施形態（図１）においては、移動端末１の加入者が入力する番号に属するメールボックス５の専用識別番号を、ＳＴＰ４のデータベースに記憶させて、ＳＴＰ４がメールボックス５への問い合わせ１７を実行するようにし、該メールボックスは応答して、アドレスがメールボックス５のアドレスに対応するＶＬＲのアドレスを、これがＨＬＲであるかのように、戻し、したがって、該アドレスがＳＭＳＣ２に達して、該ＳＭＳＣ ２が通常のように前記ＶＬＲアドレスを解釈するようにし、したがって、当該ショートメッセージのメールボックス５への送信１５が実行されて、該メールボックスは該メッセージがＶＬＲであるかのように該メッセージの受信を確認し（１６）、ここで、ＳＭＳＣ２は動作が完了したと見なし、当該メッセージはメールボックス５に記憶される。
【００３５】
ここで述べておくべきことは、問合せ１７をメールボックス５に送信するためのＳＴＰ４が使用するデータベースは、そのレンジデーブルであり、該テーブルは普通に使用されるものであって、携帯電話ネットワークに付随するメールボックス５の識別番号をあらかじめ記憶している、ということである。
【００３６】
この実施形態においては、一つのＳＴＰしか示さないが、このネットワークは複数のＳＴＰ４を有することができ、その場合には、メールボックスがＳＴＰ ４のレンジテーブルの各々に含まれていて、ＳＴＰ４のどれがアクセスされているかによらず、メールボックス５へのアクセスができるようにしなければならない。
【００３７】
別の実施形態（図２）においては、ＳＭＳＣ２が、メールボックス５に記憶すべきメッセージを受信すると、通常のやり方で、ＳＴＰ４により、ＨＬＲ３への問合せ１３がなされるが、この場合に特異的なことは、ＨＬＲ３が、メールボックス５の識別番号をＶＬＲアドレスに一意的に関係づけるテーブルを有し、該アドレスは、メールボックス５のアドレスに対応し、したがってＨＬＲ３はメールボックス５のアドレスに属するＶＬＲに対応する情報１４に応答するようになっており、したがってこのＨＬＲ３がこのデータを受信したとき、ＳＭＳＣ２はメールボックス５にメッセージを送信し（１５）、メールボックス５は該メッセージの受信を確認する応答をなし（１６）、するとＳＭＳＣ２は動作が完了したとみなし、また該メッセージはメールボックス５に記憶される。
【００３８】
上の二例で述べたメールボックス５の機能を実現するために、このメールボックスは、ＭＡＰ（モバイル・アプリケーション・パート：携帯電話ネットワークアプリケーションパートに対応する信号伝送プロトコル）インタフェースから成る携帯電話ネットワークに対するインタフェース７を備えている（図３）。該インタフェースは、ＭＡＰプロトコル信号を受信して、変換し、メールボックス５の内部管理を行う内部管理モジュール９に配信する。モジュール９は、加入者の識別番号データが記憶され、各クライアントに対するメッセージ・サービス・プロフィールが設定されているデータベース６にアクセスする。さらに、図１を参照して説明した実施形態の場合、このデータベースはメールボックス５に属するＶＬＲアドレスを含む。
【００３９】
また、前記のやり方で送信されるメッセージは、送信側移動端末識別番号とともにデータベース内に記憶され、下記のようにして、この記憶されたメッセージにアクセスすることができる。
【００４０】
この機能を実現するために、管理モジュール９が、電子メールサーバーに接続されているメッセージダウンロードおよび構成インタフェース８に接続され、メッセージを電子メールアドレスに再送信できるようになっている。例えば、インタフェース８は、サーバーがメールボックス５自身であるＷＥＢタイプのものとすることができ、クライアントはすべてのサービス加入者である。
【００４１】
インタフェース８は、データベース６に記憶されている、メッセージへのアクセスを可能とする識別子とパスワードとを問合せ、アクセスが実行されたら、記憶されたメッセージが、電子メールメッセージへの変換のために、電子メールが電子メールサーバーに表示されるのと同様のやり方で、表示される。
【００４２】
インタフェース８は、記憶されているショートメッセージを電子メールに変換して再送信することのできる個人電子メールアドレスを定義する機能(ｐｏｓｓｉｂｉｌｉｔｙ)を有する。
【００４３】
この再送信は、いくつかの所定の基準例えば当該メッセージのデータ、時間、テキスト長、該メッセージの第一文字にしたがって、手動または自動で実行され、したがって加入者は、メールボックス５を手段として使用して、直接に、メッセージを自分の電子メールアドレスに再送信することができる。
【００４４】
メッセージを電子メールで送信するために、簡単かつ標準化されたプロトコル、例えばＳＭＴＰ（電子メールをダウンロードおよび送信するために用意されたプロトコル）が使用される。
【００４５】
やはりここで述べておくべきことは、メールボックス５へのアクセスは、携帯電話ネットワークを通じてＳＭＳを移動端末に送るために携帯電話ネットワークと通信する別の外部アプリケーションに接続するための別のプロトコルを使用することのできるインタフェース８を通じて、移動端末により実行することができる、ということである。このアクセスは携帯電話の最新世代で普通に使用されているＷＡＰサービスによって実行することができる。
【００４６】
この構成の場合、適当に管理モジュール９を構成することにより、データベース６に記憶されているメッセージは、移動端末を通じての問合せなしでも、該端末による他の受信側移動端末に対する命令によって、再送信することができる。
【００４７】
管理モジュール９は、また、加入者データおよびプロフィール例えば識別子およびパスワードの変更、メッセージ配信プロフィールデータ、ならびに自動送信基準、をも管理する。
【図面の簡単な説明】
【００４８】
【図１】本発明のシステムの一つの実施形態の全体の構成を示す機能ブロック図である。
【図２】本発明のシステムのもう一つの実施形態の全体の構成を示す機能ブロック図である。
【図３】前記図に示す追加のＳＭＳ記憶手段の可能な実施形態を示す機能ブロック図である。
【符号の説明】
【００４９】
１  移動端末
２  ショートメッセージ・サービスセンター
３  ホーム・ロケーション・レジスター
４  シグナル・トランスファー・ポイント
５  ＳＭＳ記憶手段
６  データベース
７  インタフェース
８  インタフェース
９  内部管理モジュール
１２  携帯電話ネットワーク
１３  問合せ
１４  情報
１５  メッセージ送信
１６  受信確認
１７  問合せ
【図１】
0004276078.tif 000002
【図２】
0004276078.tif 000003
【図３】
0004276078.tif 000004